(57)【要約】【課題】  本発明は、貝殻形状にして可愛らしさ及び手作り感によるオリジナル性が生じてくるアクセサリーを提供することを課題とする。【解決手段】   乾燥したしじみ貝殻１の半殻基台１ａ，１ｂをそれぞれ布生地２で包んで、基台内側部を糸３で包み縫いして縫いつけ、少なくとも一方（正面前側）の布生地で包んだ基台１ａ内側部に紐掛け部材４の基部を縫い込んで止着すると共に、基台１ａ外周よりはみ出す単数若しくは複数のフェルト生地からなる各種形状の突片部材５、６の基部を縫い止めして止着して、外周正面に顔を疑似するアクセサリーを形成する。。【選択図】  図６
2005278960.tif 000002
【特許請求の範囲】
【請求項１】
貝態様の半殻形状の基台を布で包んで、基台内側部を糸で縫いつけて基台外側部を布で被覆するように構成し、少なくとも一方の布で包んだ基台内側部に紐掛け部材の基部を止着すると共に基台外周よりはみ出す単数若しくは複数の突片部材の基部を止着し、しかる後、他方の布で包んだ基台内側部を重ね合わせて閉塞した貝形状に構成して、且つ紐掛け部材及び突片部材の先部が露出した状態で重ね合わせ部の外周布部を縫い込んで構成したことを特徴とするアクセサリー。
【請求項２】
突片部材の先部に眼球飾りを付設し、基台外周に口部を疑似表示したことを特徴とする請求項１記載のアクセサリー。
【請求項３】
突片部材の先部を耳状に疑似形成して、基台外周に眼球飾りを付設すると共に口部を疑似表示したことを特徴とする請求項１記載のアクセサリー。
【請求項４】
基台外側部を被覆する布に頭髪形状を疑似する布を重合被覆したことを特徴とする請求項１記載のアクセサリー。
【請求項５】
貝態様の半殻形状の基台をしじみ貝の殻で構成したことを特徴とする請求項１記載のアクセサリー。
【発明の詳細な説明】
【技術分野】
【０００１】
本発明は、ネックレスやブローチ等の身飾品として、或いはハンドストラップやキーチェーン、そして携帯電話やキーホルダー等の装飾品として使用される貝殻態様を利用したアクセサリーに関するものである。
【背景技術】
【０００２】
従来、例えば、特許文献１、２、３に示されるような携帯用のアクセサリーが知られている。
【特許文献１】特開平１０−１２７３２３号公報
【特許文献２】特開平１１−２９０１０８号公報
【特許文献３】特開２００２−１１９３１４公報
【発明の開示】
【発明が解決しようとする課題】
【０００３】
特許文献１、２、３のようなアクセサリーは、工業生産的に同一形状のものが作られており手作り感に薄れている面があった。
【０００４】
本発明が前述の状況に鑑み、解決しようとするところは、半殻形状の基台外周を布生地で被覆することにより、これら半殻形状の基台を二つ合わせにして貝形状に形成して布生地感触の柔らかさと貝殻形状から起成される可愛らしさ及び手作り感によるオリジナル性が生じてくるものであるアクセサリーの提供を目的としている。
【課題を解決するための手段】
【０００５】
第一に、本発明によるアクセサリーは、貝態様の半殻形状の基台を布で包んで、基台内側部を糸で縫いつけて基台外側部を布で被覆するように構成し、少なくとも一方の布で包んだ基台内側部に紐掛け部材の基部を止着すると共に基台外周よりはみ出す単数若しくは複数の突片部材の基部を止着し、しかる後、他方の布で包んだ基台内側部を重ね合わせて閉塞した貝形状に構成して、且つ紐掛け部材及び突片部材の先部が露出した状態で重ね合わせ部の外周布部を縫い込んで構成したことを特徴とする。
【０００６】
従って、半殻形状の基台を巧みに活かしてその外周を布生地で被覆することにより、これら半殻形状の基台を二つ合わせにして貝形状に形成したアクセサリーが提供でき、布生地感触の柔らかさと貝殻形状から起成される可愛らしさ及び手作り感によるオリジナル性が生じてくるものである。
【０００７】
次ぎに、突片部材の先部に眼球飾りを付設し、基台外周に口部を疑似表示したり、或いは、突片部材の先部を耳状に疑似形成して、基台外周に眼球飾りを付設すると共に口部を疑似表示したり、更には、基台外側部を被覆する布に頭髪形状を疑似する布を重合被覆したことを特徴とすることによって、より一層の可愛らしさ及び手作り感によるオリジナル性が強調される。
【０００８】
また、貝態様の半殻形状の基台をしじみ貝の殻で構成したことにより、食品残査物の再生利用で環境保護に寄与でき、更には小粒なしじみ殻の形状活用に起因する、よりユニークな可愛らしさが強調される。
【発明の効果】
【０００９】
請求項１の発明によれば、紐掛け部材や突片部材の取り付けを強固にして長期の使用に耐えるものにでき、アクセサリーは布生地感触の柔らかさと貝殻形状から起成される可愛らしさ及び手作り感によるオリジナル性が生じてくる効果が得られる。
【００１０】
請求項２〜４の発明によれば、カエルや亀、干支動物などの顔等を疑似化したものの製造が可能となり、装飾性の向上を図れると共により一層の可愛らしさ及び手作り感によるオリジナル性が強調される効果が得られる。
【００１１】
請求項５の発明によれば、食品残査物の再生利用で環境保護に寄与でき、更には小粒なしじみ貝の貝殻の形状活用に起因する、よりユニークな可愛らしさが強調される効果が得られる。
【発明を実施するための最良の形態】
【００１２】
以下、本発明の実施形態を図面に基づいて詳細に説明する。
図１に示すように、しじみ貝の貝殻１を水できれいに洗浄して天日干し等で乾燥させる。次ぎに、図２に示すように、乾燥したしじみ貝殻１の半殻基台１ａ，１ｂをそれぞれ４センチ角前後の方形の布生地２で包んで、基台内側部を糸３で包み縫いして縫いつけ、布生地２が弛まないように端と端とを襷掛け状に交差させて縫い込む。
そして、図３に示すように、少なくとも一方（正面前側）の布生地で包んだ基台１ａ内側部にハンドストラップ等を係止する紐掛け部材４の基部を縫い込んで止着すると共に、基台１ａ外周よりはみ出す単数若しくは複数のフェルト生地からなる各種形状の突片部材５、６の基部を縫い止めして止着する。
【００１３】
しかる後、図４に示すように、他方（背面後側）の布生地で包んだ基台１ｂ内側部を重ね合わせて閉塞した貝形状に構成して、且つ紐掛け部材４及び突片部材５、６の先部が露出した状態で重ね合わせ部の外周布部１ｃを綴じ縫いにより糸で縫い込んで構成する。
図５、６に顔部の仕上げ作業をしたものを示す。図例は干支の丑の顔形を疑似したものを示しており、上部の突片部材５、５の先部は角状に疑似形成されており、中央横部の突片部材６、６の先部は耳状に疑似形成され、正面前側の基台１ａ外周に動眼を有する眼球飾り７、７を接着剤で付設すると共に頭髪を疑似する布生地や毛糸若しくは毛などの頭表示部８を接着し、更にビーズ球を接着した鼻部９、９や口部を疑似表示した被覆生地１０を重合被覆して設けてある。
【００１４】
上記しじみ貝殻１形状は、しじみの貝殻形状に疑似した樹脂、金属等の成型品を使用して貝態様の半殻形状の基台に構成しても良い。また、しじみ貝として宍道湖産のヤマトしじみの貝殻を用いると、大きさが小粒の適当なものが得られて可愛らしさがより強調される利点がある。さらに食品残査物のしじみ殻を再生利用すると環境保護に寄与する相乗効果も期待される。
【００１５】
図７〜図１８に本発明者が宍道湖産のしじみ殻を活用して製作した、子（ねずみ）、丑（うし）、寅（とら）、卯（うさぎ）、辰（たつ）、巳（へび）、午（うま）、未（ひつじ）、申（さる）、酉（とり）、戌（いぬ）、亥（いのしし）を疑似した各種のアクセサリーの側面断面図および正面図を例示する。
これらの干支疑似のアクセサリー図面に見られるように、本発明では、半殻形状の基台外周を布生地で被覆することにより、これら半殻形状の基台を二つ合わせにして貝形状に形成して顔面形状に応用し、これらを包む布生地感触の柔らかさと貝殻形状から起成される可愛らしさ及び手作り感によるオリジナル性が生じてくるものである。
【００１６】
また、図１９に示すものは、カエルを疑似したマスコットであり、突片部材５，５の先部に眼球飾り７を付設し、基台外周に口部１０を糸で刺繍縫いに縫い込んで疑似表示してあり上記同様にアクセサリーとして柔らかさと可愛らしさ及び手作り感によるオリジナル性が生じている。
このように、本発明の技術思想によれば動物や鳥、爬虫類、昆虫などを顔形状を疑似して各種のものを表示できて携帯用のアクセサリーとして顧客に好まれるものである。
【産業上の利用可能性】
【００１７】
本発明はネックレスやブローチ等の身飾品として、或いはハンドストラップやキーチェーン、そして携帯電話やキーホルダー等の装飾品として使用されるアクセサリーに関するものであり、本発明の技術思想の範囲内においては、各種のものに応用できるものでありこれらのものに限定されるものではない。
【図面の簡単な説明】
【００１８】
【図１】本発明の一実施例を示すしじみ貝の開殻状況を示す平面図である。
【図２】しじみ貝を布生地で包み込み縫いした平面図である。
【図３】布生地で包んだしじみ貝に首掛け部材及び突片部材を止着する状況を示す平面図である。
【図４】布生地で包んだしじみ貝を前後合わせた状態を示す側面図である。
【図５】布生地で包み込み縫いした正面図である。
【図６】図５の正面完成図である。
【図７】子（ねずみ）を疑似したアクセサリーの側面断面図および正面図である。
【図８】丑（うし）を疑似したアクセサリーの側面断面図および正面図である。
【図９】寅（とら）を疑似したアクセサリーの側面断面図および正面図である。
【図１０】卯（うさぎ）を疑似したアクセサリーの側面断面図および正面図である。
【図１１】辰（たつ）を疑似したアクセサリーの側面断面図および正面図である。
【図１２】巳（へび）を疑似したアクセサリーの側面断面図および正面図である。
【図１３】午（うま）を疑似したアクセサリーの側面断面図および正面図である。
【図１４】未（ひつじ）を疑似したアクセサリーの側面断面図および正面図である。
【図１５】申（さる）を疑似したアクセサリーの側面断面図および正面図である。
【図１６】酉（とり）を疑似したアクセサリーの側面断面図および正面図である。
【図１７】戌（いぬ）を疑似したアクセサリーの側面断面図および正面図である。
【図１８】亥（いのしし）を疑似したアクセサリーの側面断面図および正面図である。
【図１９】蛙を疑似したアクセサリーの正面図である。
【図２０】蛙を疑似したアクセサリーの側面断面図である。
【符号の説明】
【００１９】
１  しじみ貝の貝殻
２  布生地
３  糸
４  紐掛け部材
５  突片部材
５、６の基部を縫い止めして止着する。
７  眼球飾り
【図１】
2005278960.tif 000003
【図２】
2005278960.tif 000004
【図３】
2005278960.tif 000005
【図４】
2005278960.tif 000006
【図５】
2005278960.tif 000007
【図６】
2005278960.tif 000008
【図７】
2005278960.tif 000009
【図８】
2005278960.tif 000010
【図９】
2005278960.tif 000011
【図１０】
2005278960.tif 000012
【図１１】
2005278960.tif 000013
【図１２】
2005278960.tif 000014
【図１３】
2005278960.tif 000015
【図１４】
2005278960.tif 000016
【図１５】
2005278960.tif 000017
【図１６】
2005278960.tif 000018
【図１７】
2005278960.tif 000019
【図１８】
2005278960.tif 000020
【図１９】
2005278960.tif 000021
【図２０】
2005278960.tif 000022